(57)【要約】【課題】インクタンクの種類の識別、及びインクの有無の識別が可能で、しかも、両者の構成要素を共通化することにより、低廉化を図る。【解決手段】インクタンクホルダ３１に、液体検知電極２１ｃと導通する容器検知電極２３を有するインクタンク１１と、容器検知電極２３を有しない他のインクタンクとを収容し、検出電極４１（４１ａ〜４１ｃ）に電流が流れたか否かに基づいて、液体検知電極２１（２１ａ〜２１ｃ）の位置におけるインクの有無を識別し、識別電極４３に電流が流れたか否かに基づいて、インクタンク１１と、他のインクタンクとの異同を識別する。【選択図】図１
2005246664.tif 000002
【特許請求の範囲】
【請求項１】
導電性を有する液体を内部に収容するとともに、少なくとも初期状態において、液体検知電極と基準電極とが液体に接して通電可能状態となっている液体容器の容器識別装置であって、
前記液体容器を着脱自在に収容する容器収容部を備え、
前記容器収容部は、前記液体検知電極と対応する検出電極と、前記基準電極と対応する共通電極と、識別電極とを有しており、
前記容器収容部に、前記識別電極と対応し、かつ液体と接することなく前記液体検知電極と導通する容器検知電極を有する一の液体容器と、前記容器検知電極を有しない他の液体容器とを収容し、電圧を印加した際に、前記検出電極に電流が流れたか否かに基づいて、前記液体検知電極の位置における液体の有無を識別し、前記識別電極に電流が流れたか否かに基づいて、前記液体容器の異同を識別する
ことを特徴とする容器識別装置。
【請求項２】
請求項１に記載の容器識別装置において、
前記液体検知電極及び前記検出電極は、前記液体容器内の液体の減少に伴う液面の低下方向における複数位置に配置され、
前記容器検知電極は、最も低い位置に配置された前記液体検知電極と導通する
ことを特徴とする容器識別装置。
【請求項３】
請求項１に記載の容器識別装置において、
前記容器検知電極及び前記識別電極は、複数位置に配置され、
各前記容器検知電極は、前記液体検知電極と１対１、又は多対１で導通する
ことを特徴とする容器識別装置。
【請求項４】
導電性を有する液体を内部に収容するとともに、少なくとも初期状態において、液体検知電極と基準電極とが液体に接して通電可能状態となっている液体容器と、
前記液体容器を着脱自在に収容し、前記液体検知電極と対応する検出電極と、前記基準電極と対応する共通電極とを有する容器収容部と、
前記検出電極と前記共通電極との間に電圧を印加する電圧印加手段と
を備え、
前記検出電極に電流が流れたか否かに基づいて、前記液体検知電極の位置における液体の有無を識別可能としつつ、前記液体容器内の液体を外部に吐出する液体吐出装置であって、
前記容器収容部は、前記電圧印加手段によって前記共通電極との間に電圧が印加される識別電極を有しており、
前記容器収容部に、前記識別電極と対応し、かつ液体と接することなく前記液体検知電極と導通する容器検知電極を有する一の液体容器と、前記容器検知電極を有しない他の液体容器とを収容し、電圧を印加した際に、前記識別電極に電流が流れたか否かに基づいて、前記液体容器の異同を識別する
ことを特徴とする容器識別機能を有する液体吐出装置。
【請求項５】
請求項４に記載の液体吐出装置において、
前記液体検知電極及び前記検出電極は、前記液体容器内の液体の減少に伴う液面の低下方向における複数位置に配置され、
前記容器検知電極は、最も低い位置に配置された前記液体検知電極と導通する
ことを特徴とする容器識別機能を有する液体吐出装置。
【請求項６】
請求項４に記載の液体吐出装置において、
前記容器検知電極及び前記識別電極は、複数位置に配置され、
各前記容器検知電極は、前記液体検知電極と１対１、又は多対１で導通する
ことを特徴とする容器識別機能を有する液体吐出装置。
【発明の詳細な説明】
【技術分野】
【０００１】
本発明は、例えばカラー対応のインクジェットプリンタにおいて、異なる色等のインクを収容したインクタンクを識別するとともに、インクタンク内のインクの有無を識別する容器識別装置、及びそのような容器識別機能を有する液体吐出装置に係るものであり、詳しくは、容器を識別する回路と液体の有無を識別する回路とを同一回路で構成することにより、構成の簡素化を図った技術に関するものである。
【背景技術】
【０００２】
インクジェットプリンタでは、インクタンク内にインクが貯留されており、このインクタンクからインク流路を通してインク吐出部にインクを送り、インク液滴を吐出させている。ここで、カラー対応のインクジェットプリンタでは、一般的に、Ｙ（イエロー）、Ｍ（マゼンタ）、Ｃ（シアン）、及びＫ（ブラック）の４色のインクが使用され、これら各色のインクタンクから各色のインクが供給されて、カラー印刷が実行される。
【０００３】
このように、インクタンク内に異なる色のインクが収容されている場合には、色ごとに決められた所定の場所にインクタンクを装着しなければ、プリンタヘッドの内部で色が混色するという不具合が発生してしまう。そのため、各色のインクタンクを個々に識別する必要がある。そして、インクタンクの識別は、プリンタにマニュアル操作で識別情報等を入力することもできるが、プリンタで自動判別させる方が利便性が高いことは言うまでもない。
【０００４】
また、白黒のモノカラー印刷を行う場合であっても、カラーのインクタンクを使用するのではなく、濃度の違う黒色インクのインクタンクを用い、複数の黒系インクタンクでモノカラー印刷した方が、はるかに高い画質が得られることが知られている。そのため、モノカラー印刷に際しても、濃度の違うインクタンクを個々に識別する必要がある。
【０００５】
そこで、従来より、装着されたインクタンクの識別装置を備えたインクジェットプリンタが種々提案されている。
このようなインクタンク識別装置における識別方法には、大きく分けて、機械的な識別方法と、電気的な識別方法との２種類がある。そして、機械的な識別方法については、例えばインクタンクに設けられた識別用の溝と、プリンタ側のヘッドカートリッジに設けられた突起とが合うか合わないかにより、インクタンクの誤装着の防止を図るという単純な機構が知られている。
【０００６】
一方、電気的な識別方法の１つとしては、収容されるインクに関する情報を含むＩＣチップを各ヘッドカートリッジに設けておき、これらのＩＣチップからインクに関する情報を読み出し、その情報に基づいて印刷処理を行う方法が知られている（例えば、特許文献１参照）。
【特許文献１】特開２００３−１５４６８３号公報
【０００７】
また、電気的な識別方法は、特許文献１に記載の方法の他にも知られている。例えば、図１０は、電気的な識別方法を採用した従来のインクタンク識別装置の一例（従来例１）を示す斜視図である。
図１０に示す技術は、インクタンク１１の前面に回路基板６１を装着するものであり、インクタンク１１内のインクの種類ごとに、異なる位置となるように回路基板６１を取り付ける。そして、回路基板６１とインクタンクホルダ（図示せず）との電気的な接続関係を検出することにより、インクタンク１１の誤装着を防止している（例えば、特許文献２参照）。
【特許文献２】特開２００２−１２０３７９号公報
【０００８】
さらにまた、図１１は、電気的な識別方法を採用した従来のインクタンク識別装置の他の例（従来例２）を示す断面図である。
図１１に示す技術は、インクタンク１１内に、電極パッド１、電極パッド２、電極パッド３の３つの電極パッドを設けるもので、図１１に示す例では、電極パッド１と電極パッド２は通電可能な状態となっているが、電極パッド３は絶縁状態（×印）となっている。そして、この状態を通常のインクが収容されているインクタンク１１とすれば、これらの電極パッドに通電することで、このインクタンク１１であるか、他の種類のインクを収容したインクタンクであるかを識別することができる（例えば、特許文献３参照）。
【特許文献３】特開平１０−６７１２７号公報
【０００９】
すなわち、図１１に示す例では、電極パッド１と電極パッド２との間には電流が流れるが、電極パッド１と電極パッド３との間、及び電極パッド２とパッド３との間には、電流が流れない。なお、この状態は、通常のインクタンク１１が取り付けられているものとして、プリンタのＲＯＭ等に予め記憶されている。
そこで、別の色のインクを収容しているインクタンクは、例えば電極パッド３を通電可能な状態としておく。すると、このインクタンクは、通常のインクタンク１１に対して異なることが識別できる。
【００１０】
また、インクジェットプリンタは、インクタンクの異同の識別の他、インクの有無を精度良く識別できるようにする必要がある。
その理由としては、第１に、インクタンクの外見からインク残量を目視により判別することは困難だからである。また、第２に、インクが完全に無くなるまでインクの吐出動作を行うと、インク吐出部を劣化させてしまうおそれがあるからである。さらにまた、第３に、大判の印画紙に印画を行う場合、精度良くインク残量を検出することができないと、印画中にインクが無くなり、それまでの印画が無駄になってしまう場合があり得るからである。
【００１１】
このように、インクジェットプリンタ等の液体吐出装置においては、液体を内部に収容した液体容器について、異なる種類の液体を収容した液体容器を識別できるようにすることが要求される。
また、その液体容器の内部に収容されている液体の有無を識別できるようにすることも要求される。
【発明の開示】
【発明が解決しようとする課題】
【００１２】
しかしながら、機械的な識別方法は、信頼性の面で問題がある。
一方、電気的な識別方法である上記の特許文献１の技術では、ＩＣチップを使うことによってコストアップとなり、経済性の面で問題がある。また、上記の特許文献２及び特許文献３には、インクタンク１１の種類の識別手段については開示されているものの、インクの有無の識別手段については何ら開示されていない。そのため、インクの有無まで識別しようとすると、別回路のインク識別手段が必要となり、経済性の面で問題が生ずる。
【００１３】
ここで、本件出願人は、特開２００３−２９１３６７号公報に開示したように、液体容器内に収容されたインクその他の液体がどの程度残っているかの段階表示ができるようにした技術を既に提案している。この液体残量表示装置によれば、簡素な構造で正確に液体残量を検出・表示することができる。
【００１４】
したがって、本発明が解決しようとする課題は、特開２００３−２９１３６７号公報に開示した液体残量表示装置を応用し、容易かつ確実に、インクタンクの種類の識別、及びインクの有無の識別が可能で、しかも、両者の構成要素を共通化することにより、構成が簡易で、低廉化を図ることができる容器識別装置及び容器識別機能を有する液体吐出装置を提供することである。
【課題を解決するための手段】
【００１５】
本発明は、以下の解決手段によって、上述の課題を解決する。
本発明の１つである請求項１に記載の発明は、導電性を有する液体を内部に収容するとともに、少なくとも初期状態において、液体検知電極と基準電極とが液体に接して通電可能状態となっている液体容器の容器識別装置であって、前記液体容器を着脱自在に収容する容器収容部を備え、前記容器収容部は、前記液体検知電極と対応する検出電極と、前記基準電極と対応する共通電極と、識別電極とを有しており、前記容器収容部に、前記識別電極と対応し、かつ液体と接することなく前記液体検知電極と導通する容器検知電極を有する一の液体容器と、前記容器検知電極を有しない他の液体容器とを収容し、電圧を印加した際に、前記検出電極に電流が流れたか否かに基づいて、前記液体検知電極の位置における液体の有無を識別し、前記識別電極に電流が流れたか否かに基づいて、前記液体容器の異同を識別することを特徴とする。
【００１６】
また、本発明の他の１つである請求項４に記載の発明は、導電性を有する液体を内部に収容するとともに、少なくとも初期状態において、液体検知電極と基準電極とが液体に接して通電可能状態となっている液体容器と、前記液体容器を着脱自在に収容し、前記液体検知電極と対応する検出電極と、前記基準電極と対応する共通電極とを有する容器収容部と、前記検出電極と前記共通電極との間に電圧を印加する電圧印加手段とを備え、前記検出電極に電流が流れたか否かに基づいて、前記液体検知電極の位置における液体の有無を識別可能としつつ、前記液体容器内の液体を外部に吐出する液体吐出装置であって、前記容器収容部は、前記電圧印加手段によって前記共通電極との間に電圧が印加される識別電極を有しており、前記容器収容部に、前記識別電極と対応し、かつ液体と接することなく前記液体検知電極と導通する容器検知電極を有する一の液体容器と、前記容器検知電極を有しない他の液体容器とを収容し、電圧を印加した際に、前記識別電極に電流が流れたか否かに基づいて、前記液体容器の異同を識別することを特徴とする。
【００１７】
上記の発明においては、液体容器の液体検知電極が液体容器内の液体に接している場合には、液体が導電性を有することから、容器収容部の検出電極と共通電極との間に電圧を印加すると、容器収容部の共通電極、液体容器の基準電極、液体容器内の液体、液体容器の液体検知電極、及び容器収容部の検出電極に電流が流れる。
一方、液体検知電極が液体容器内の液体に接していない場合には、そこで通電が妨げられることとなる。
【００１８】
したがって、初期状態において、液体検知電極が液体に接するようにしておけば、電圧を印加することにより、その液体容器は、確かに、液体検知電極の位置に液体が存在することが識別でき、未使用の液体容器であることが判別できる。
一方、使用に伴って液体が消費されると、液体検知電極が液体に接しない状態となり、電圧を印加しても通電しなくなるので、液体検知電極の位置に液体が存在しないことが識別でき、使用済みの液体容器であることが判別できる。
【００１９】
そして、液体検知電極及び検出電極を液体容器内の液体の減少に伴う液面の低下方向に複数配置しておけば、各液体検知電極の通電状態を検出することで、どの液体検知電極の位置まで液面があるかを知ることができる。そのため、液体残量の有無だけでなく、液体の残量を段階的に（例えば全体の何％程度、残量を有するか等）、正確に識別することができるようになる。
【００２０】
また、上記の発明においては、容器収容部が識別電極を有している。この識別電極は、液体容器に容器検知電極がある場合には、その容器検知電極と対応しており、容器検知電極は、液体と接することなく液体検知電極と導通している。そのため、初期状態において電圧を印加すると、容器収容部の共通電極、液体容器の基準電極、液体容器内の液体、液体容器の液体検知電極、液体容器の容器検知電極、及び容器収容部の識別電極に電流が流れる。
一方、液体容器に容器検知電極がない場合には、そこで通電が妨げられることとなる。
【００２１】
したがって、容器収容部に、容器検知電極を有する一の液体容器と、容器検知電極を有しない他の液体容器とを収容し、電圧を印加すれば、識別電極に電流が流れたか否かに基づいて、液体容器の異同を識別することができる。なお、容器収容部が１つの場合には、一の液体容器と他の液体容器とを交互に収容して識別すれば良く、容器収容部が複数ある場合には、一の液体容器と他の液体容器とを同時に収容して識別することもできる。
【００２２】
そして、容器検知電極及び識別電極を複数配置しておけば、液体検知電極との導通の組合せを変えることにより、各液体容器をそれぞれ識別することができる。そのため、例えばＹ（イエロー）、Ｍ（マゼンタ）、Ｃ（シアン）、及びＫ（ブラック）の４色のインクをそれぞれ収容した４つのインクタンクの識別も可能となる。
【発明の効果】
【００２３】
本発明の容器識別装置及び容器識別機能を有する液体吐出装置によれば、容器収容部の検出電極に電流が流れたか否かに基づいて、液体容器の液体検知電極の位置における液体の有無を識別することができ、容器収容部の識別電極に電流が流れたか否かに基づいて、液体容器の異同を識別することができるので、手動操作で設定することなく、液体容器内の液体の有無、及び液体容器の種類の２つを容易かつ確実に識別することが可能となる。
しかも、液体容器内の液体の有無、及び液体容器の種類の２つの識別について、構成要素を共通化することができるので、構成が簡易で、低廉化を図ることが可能となる。
【発明を実施するための最良の形態】
【００２４】
以下、図面を参照して、本発明の一実施形態について説明する。
本発明における容器識別装置は、下記実施形態では、インクを収容したインクタンクの識別装置に相当し、本発明における液体吐出装置は、下記実施形態では、インクタンク識別装置を備えたインクジェットプリンタに相当する。すなわち、導電性を有する液体は、Ｙ（イエロー）、Ｍ（マゼンタ）、Ｃ（シアン）、Ｋ（ブラック）等のインクであり、これらのインクを内部に収容したインクタンクをインクジェットプリンタのインクタンクホルダ（本発明の容器収容部に相当）に装着し、インクタンク内のインクを外部に吐出して印画するものである。
【００２５】
図１は、本実施形態のインクタンク識別装置１０を示す断面図であり、カートリッジ式のインクタンク１１をインクタンクホルダ３１に装着する前の状態を示す図である。
図１に示すように、インクタンク１１の上部には、大気連通口１２が設けられ、その下部には、ゴムパッキンを備えるインク取出し口１３が設けられている。また、インクタンクホルダ３１には、インク取出し口１３に対応する位置に、インク供給針３２が設けられている。
【００２６】
そして、インクタンク１１をインクタンクホルダ３１に装着し、インク取出し口１３のゴムパッキンにインク供給針３２を突き刺すことにより、インクタンク１１内のインクをインクジェットプリンタのプリンタヘッド（図示せず）に供給し、被記録媒体である印画紙に向けてインクを吐出して印画するようになっている。なお、印画すると、インクタンク１１内のインクが減少し、液面は、図１中、上側（大気連通口１２側）から下側（インク取出し口１３側）に向かう。すなわち、鉛直下方向がインク減少時の液面の低下方向である。
【００２７】
ここで、図１に示すインクタンク１１は、側面に、インク減少時の液面の低下方向（鉛直下方向）にほぼ等間隔で配列された３つの液体検知電極２１（２１ａ〜２１ｃ）を備えている。そして、液体検知電極２１ａは、インクタンク１１内のほぼ最上位置（インクタンク１１内のインクが満タンのときに接する位置）に配置され、液体検知電極２１ｃは、インクタンク１１内の底面近傍位置に配置されている。
【００２８】
なお、液体検知電極２１（２１ａ〜２１ｃ）は、インクタンク１１の傾斜を考慮して、図１の奥行き方向（紙面に垂直な方向）におけるインクタンク１１のほぼ中央位置に配置されている。すなわち、液体検知電極２１（２１ａ〜２１ｃ）は、後述するように、インクの有無（残量）を検出するものであるが、インクタンク１１が傾斜すると液面が水平でなくなる。そのため、仮に液体検知電極２１（２１ａ〜２１ｃ）がインクタンク１１内の手前側又は奥側に近い位置に配置されていると、インクタンク１１の傾斜によって液面が昇降し、正確な液面位置（液位）が検出できなくなる。そこで、たとえインクタンク１１が傾斜したとしても正確な液位が検出できるように、インクタンク１１の傾斜時に最も影響の少ない（傾斜時の液位変化が少ない）位置に配置している。
【００２９】
また、インクタンク１１の底面には、基準電極２２が配置されており、インクが満タンの初期状態において、液体検知電極２１（２１ａ〜２１ｃ）と基準電極２２とがインクに接して通電可能状態となっている。
さらに、インクタンク１１の側面の最上位置には、インクと接することなく液体検知電極２１ｃと導通する容器検知電極２３が配置されている。
【００３０】
一方、図１に示すインクタンクホルダ３１には、インクタンク１１の液体検知電極２１（２１ａ〜２１ｃ）と対応する検出電極４１（４１ａ〜４１ｃ）と、基準電極２２と対応する共通電極４２と、容器検知電極２３と対応する識別電極４３とが配置されている。そして、検出電極４１（４１ａ〜４１ｃ）、共通電極４２、及び識別電極４３は、電圧印加手段を有する識別回路５１と接続されている。なお、共通電極４２は、グラウンド（ＧＮＤ）に接地されている。
【実施例１】
【００３１】
図２は、本実施形態（実施例１）のインクタンク識別装置１０を示す断面図であり、図１に示すインクタンク１１と同じインクタンク１１ａを、図１に示すインクタンクホルダ３１と同じインクタンクホルダ３１ａに装着した後の状態を示す図である。
図２に示すように、インクタンク１１ａを積載し、検出電極４１ａ〜４１ｃと識別電極４３とが配置された端子ホルダを図２の右方向に向けてスライドさせることにより、液体検知電極２１ａ〜２１ｃと検出電極４１ａ〜４１ｃとが接触し、かつ容器検知電極２３と識別電極４３とが接触して、インクタンク１１ａの装着が完了することとなる。
【００３２】
また、図３は、本実施形態（実施例１）のインクタンク識別装置１０を示す断面図であり、図１に示すものとは異なるインクタンク１１ｂを、図１に示すインクタンクホルダ３１と同じインクタンクホルダ３１ａに装着した後の状態を示す図である。
図３に示すインクタンク１１ｂには、識別電極４３と対応する位置にダミー電極２４が配置されているが、このダミー電極２４は、液体検知電極２１ｃと導通していない。そのため、図３に示すインクタンク１１ｂは、図２に示すインクタンク１１ａのような容器検知電極２３を有していないこととなる。
【００３３】
ここで、図２に示すインクタンク１１ａが、例えば淡い黒のインクを収容したものであり、図３に示すインクタンク１１ｂが、例えば通常のカラーインクタンクであるとする。この場合、白黒のモノカラー印刷をするか、カラー印刷をするかによって、淡い黒のインクタンクであるか、カラーインクタンクであるかを識別し、誤装着を防止する必要が生ずる。また、印画のためには、インクタンク１１ａやインクタンク１１ｂ内のインクの残量を知る必要もある。
【００３４】
図２及び図３に示すインクタンク識別装置１０において、このようなインクタンク１１ａとインクタンク１１ｂとの種類の異同を識別するには、電圧印加手段を有する識別回路５１により、識別電極４３と共通電極４２との間に電圧を印加する。また、インクの残量を識別するには、検出電極４１ａ〜４１ｃと共通電極４２との間に電圧を印加する。
【００３５】
すると、インクタンク１１ａ及びインクタンク１１ｂ内のインクが絶縁体でなく、導電性を有するので、インクが存在する部分では、検出電極４１ａ〜４１ｃと共通電極４２との間でわずかに電流が流れ、抵抗値が変化する。すなわち、図２に示すインクタンク１１ａの場合は、検出電極４１ａ〜４１ｃにより、液体検知電極２１ａ〜２１ｃの導通が液位（インクの残量）に応じて検知される。また、識別電極４３により、容器検知電極２３が液体検知電極２１ｃと常に同じ通電状態となることが検知される。なお、図２に示すインクタンク１１ａは、容器検知電極２３と液体検知電極２１ｃとが導通しているので、検出電極４１ｃと共通電極４２との間に電圧を印加すれば、識別電極４３と共通電極４２との間に電圧を印加したことにもなる。
【００３６】
一方、図３に示すインクタンク１１ｂの場合、検出電極４１ａ〜４１ｃにより、液体検知電極２１ａ〜２１ｃの導通が液位（インクの残量）に応じて検知される点に関しては、図２に示すインクタンク１１ａと同じである。
しかし、図３に示すインクタンク１１ｂには容器検知電極がない（ダミー電極２４には電気的な導通がない）ので、識別電極４３と共通電極４２との間に電圧を印加したとしても、識別電極４３が通電状態になることはない。
【００３７】
図４は、図２及び図３に示すインクタンク識別装置１０における識別回路５１の通電状態をまとめた表であり、図４（ａ）は、図２に示すインクタンク１１ａの場合の通電状態を示し、図４（ｂ）は、図３に示すインクタンク１１ｂの場合の通電状態を示している。なお、図４中のＯＮは通電ありの状態、ＯＦＦは通電なしの状態を意味している。また、識別電極４３のＯＮ・ＯＦＦが変化する液位では、下線を付して、通電状態の違いを明確にしてある。
【００３８】
図４に示すように、図２に示すインクタンク１１ａの場合は、インクが満タンの初期状態（液位＝１００％）において、識別電極４３がＯＮ（図４（ａ）参照）となるが、図３に示すインクタンク１１ｂの場合は、インクが満タンの初期状態（液位＝１００％）であっても、識別電極４３がＯＦＦ（図４（ｂ）参照）となる。
したがって、インクタンク１１ａ又はインクタンク１１ｂの装着時に、識別電極４３のＯＮ・ＯＦＦを検知して区別すれば、インクタンク１１ａ（淡い黒のインクタンク）とインクタンク１１ｂ（カラーインクタンク）との識別が可能となる。
【００３９】
また、インクタンク１１ａ又はインクタンク１１ｂ内のインクの残量は、検出電極４１ａ〜４１ｃのＯＮ・ＯＦＦの検知によって識別できる。すなわち、図４に示すように、インクタンク１１ａもインクタンク１１ｂも、インクが満タンの初期状態から、半分より多く残っているときまで（１００％≧液位＞５０％）は、検出電極４１ａがＯＮ（図４（ａ）及び（ｂ）参照）であるが、インクが半分以下（５０％≧液位）になると、検出電極４１ａがＯＦＦに変わる。
したがって、検出電極４１ａのＯＮ・ＯＦＦを検知して区別すれば、インクが半分より多く残っている（１００％≧液位＞５０％）か否かの識別が可能となる。
【００４０】
同様に、５０％≧液位＞１０％の場合は、検出電極４１ｂがＯＮであるが、１０％≧液位になると、検出電極４１ｂがＯＦＦに変わるので、検出電極４１ｂのＯＮ・ＯＦＦを検知して区別すれば、５０％≧液位＞１０％の範囲内にあるか否かの識別が可能となる。
さらに同様に、１０％≧液位＞０％の場合は、検出電極４１ｃがＯＮであるが、インクがなくなったり、空のインクタンクを装着したりすると、検出電極４１ｃがＯＦＦに変わるので、検出電極４１ｃのＯＮ・ＯＦＦを検知して区別すれば、インクが多少なりとも残っている（１０％≧液位＞０％）か否かの識別が可能となる。
【００４１】
ここで、図４に示すように、識別電極４３のＯＮ・ＯＦＦの状態は、１０％≧液位＞０％まで変わらない。これは、容器検知電極２３を底面近傍位置の液体検知電極２１ｃと導通させているからである。逆に言えば、インクが残っている段階でインクタンクの種類の識別ができなくなることを防止するために、容器検知電極２３と液体検知電極２１ｃとを導通させている。
したがって、インクが多少なりとも残っていれば、インクタンクの種類の識別が可能である。
【００４２】
ところが、インクがなくなったり、空のインクタンクを装着した場合には、インクタンク１１ａであってもインクタンク１１ｂであっても識別電極４３がＯＦＦ（図４（ａ）及び（ｂ）参照）となるので、インクタンクの種類の識別ができなくなる。
しかし、この場合には、インクタンクを交換することとなり、新しいインクタンクを装着すれば、再びインクタンクの種類の識別が行われるので、何ら問題は生じない。
【実施例２】
【００４３】
図５から図８は、本実施形態（実施例２）のインクタンク識別装置１０を示す断面図であり、Ｙ（イエロー）、Ｍ（マゼンタ）、Ｃ（シアン）、及びＫ（ブラック）の４色のインクをそれぞれ収容した４種類のインクタンク１１ｃ〜１１ｆをインクタンクホルダ３１ｂに装着した後の状態を示す図である。
【００４４】
図５から図８に示すように、インクタンク１１ｃ〜１１ｆの基本的な構造は、図１に示すインクタンク１１と同一である。
しかし、図５から図８に示すインクタンクホルダ３１ｂには、２つの識別電極４３ａ及び４３ｂが配置されており、４種類のインクタンク１１ｃ〜１１ｆをそれぞれ識別できるようになっている。
【００４５】
ここで、図５に示すインクタンク１１ｃは、識別電極４３ａ及び４３ｂに対応する２つのダミー電極２４ａ及び２４ｂを有している。また、図６に示すインクタンク１１ｄは、識別電極４３ａに対応する容器検知電極２３ａ（液体検知電極２１ｃと導通）と、識別電極４３ｂに対応するダミー電極２４ｂとを有しており、図７に示すインクタンク１１ｅは、識別電極４３ａに対応するダミー電極２４ａと、識別電極４３ｂに対応する容器検知電極２３ｂ（液体検知電極２１ｃと導通）とを有している。さらに、図８に示すインクタンク１１ｆは、識別電極４３ａ及び４３ｂに対応する２つの容器検知電極２３ａ及び２３ｂ（両方とも液体検知電極２１ｃと導通）とを有している。
【００４６】
図９は、図５〜図８に示すインクタンク識別装置１０における識別回路５１の通電状態をまとめた表であり、図９（ａ）は、図５に示すインクタンク１１ｃの場合の通電状態を示し、図９（ｂ）は、図６に示すインクタンク１１ｄの場合の通電状態を示し、図９（ｃ）は、図７に示すインクタンク１１ｅの場合の通電状態を示し、図９（ｄ）は、図８に示すインクタンク１１ｆの場合の通電状態を示している。
【００４７】
図９に示すように、図５に示すインクタンク１１ｃの場合は、１００％≧液位＞５０％から１０％≧液位＞０％まで、すなわち、１００％≧液位＞０％の範囲内において、識別電極４３ａがＯＦＦ、識別電極４３ｂもＯＦＦとなる（図９（ａ）参照）。
また、図６に示すインクタンク１１ｄの場合は、液位が同じ範囲内で、識別電極４３ａがＯＮ、識別電極４３ｂがＯＦＦとなり（図９（ｂ）参照）、図７に示すインクタンク１１ｅの場合は、識別電極４３ａがＯＦＦ、識別電極４３ｂがＯＮとなり（図９（ｃ）参照）、図８に示すインクタンク１１ｆの場合は、識別電極４３ａがＯＮ、識別電極４３ｂもＯＮとなる（図９（ｄ）参照）。
【００４８】
このように、インクタンクホルダ３１ｂに２つの識別電極４３ａ及び４３ｂを配置し、インクタンク１１ｃ〜１１ｆにおける容器検知電極２３ａ及び２３ｂと、ダミー電極２４ａ及び２４ｂとの組合せを変えれば、識別電極４３ａ及び４３ｂのＯＮ・ＯＦＦの組合せを検知して区別することにより、４種類のインクタンク１１ｃ〜１１ｆをそれぞれ識別することができる。
【００４９】
なお、インクタンク１１ｃ〜１１ｆ内のインク残量については、図４の場合と同様に、１００％≧液位＞５０％、５０％≧液位＞１０％、１０％≧液位＞０％、及びインクなし又は空インクタンクの４段階の識別が可能となっており、検出電極４１ａ〜４１ｃのＯＮ・ＯＦＦの関係は、インクタンク１１ｃ〜１１ｆで同じである。
【００５０】
以上、本発明の実施形態について説明したが、本発明は、上述した実施形態に限定されることなく、例えば以下のような種々の変形が可能である。すなわち、
（１）容器検知電極２３，２３ａ，２３ｂは、インクと接しないものなので、配置位置に制限はなく、ダミー電極２４，２４ａ，２４ｂは、導通がないものなので、省略することもできる。
【００５１】
（２）本実施形態では、液体検知電極２１を２１ａ〜２１ｃの３つとしたが、液体検知電極２１の数をより多くすることにより、さらに細分化したインク残量の検出を行うことができる。また、本実施形態では、容器検知電極２３を最大で２３ａ及び２３ｂの２つとし、識別電極４３も最大で４３ａ及び４３ｂの２つとしたが、容器検知電極２３及び識別電極４３の数をより多くすることにより、さらに多くの種類のインクタンク１１を識別することができる。
【００５２】
（３）本実施形態では、インクジェットプリンタのインクタンク識別装置１０について説明したが、これに限らず、液体容器内に収容した種々の液体の有無の識別装置や、種々の液体を収容した液体容器の異同の識別装置に広く適用することができる。
【産業上の利用可能性】
【００５３】
本発明の容器識別装置及び容器識別機能を有する液体吐出装置は、インクジェットプリンタに適用して特に好適なものであるが、被記録媒体は印画紙に限ることなく、例えばフィルムに対して液体を吐出する医療用の液体吐出装置等に適用したり、染め物に対して染料を吐出する液体吐出装置等に適用したりすることもできる。
また、生体試料を検出するためのＤＮＡ含有溶液を吐出する液体吐出装置等に適用することも可能である。
【図面の簡単な説明】
【００５４】
【図１】インクタンク識別装置を示す断面図であり、インクタンクをインクタンクホルダに装着する前の状態を示す図である。（実施例）
【図２】インクタンク識別装置を示す断面図であり、図１に示すものと同じインクタンクをインクタンクホルダに装着した後の状態を示す図である。（実施例１）
【図３】インクタンク識別装置を示す断面図であり、図１に示すものと異なるインクタンクをインクタンクホルダに装着した後の状態を示す図である。（実施例１）
【図４】図２及び図３に示すインクタンク識別装置における識別回路の通電状態をまとめた表である。（実施例１）
【図５】インクタンク識別装置を示す断面図であり、図６〜図８に示すものと異なるインクタンクをインクタンクホルダに装着した後の状態を示す図である。（実施例２）
【図６】インクタンク識別装置を示す断面図であり、図５、図７〜図８に示すものと異なるインクタンクをインクタンクホルダに装着した後の状態を示す図である。（実施例２）
【図７】インクタンク識別装置を示す断面図であり、図５〜図６、図８に示すものと異なるインクタンクをインクタンクホルダに装着した後の状態を示す図である。（実施例２）
【図８】インクタンク識別装置を示す断面図であり、図５〜図７に示すものと異なるインクタンクをインクタンクホルダに装着した後の状態を示す図である。（実施例２）
【図９】図５〜図８に示すインクタンク識別装置における識別回路の通電状態をまとめた表である。（実施例２）
【図１０】インクタンク識別装置の一例を示す斜視図である。（従来例１）
【図１１】インクタンク識別装置の他の例を示す断面図である。（従来例２）
【符号の説明】
【００５５】
１０  インクタンク識別装置（容器識別装置）
１１（１１ａ〜１１ｆ）  インクタンク（液体容器）
２１（２１ａ〜２１ｃ）  液体検知電極
２２  基準電極
２３（２３ａ，２３ｂ）  容器検知電極
２４（２４ａ，２４ｂ）  ダミー電極
３１（３１ａ，３１ｂ）  インクタンクホルダ（容器収容部）
４１（４１ａ〜４１ｃ）  検出電極
４２  共通電極
４３（４３ａ，４３ｂ）  識別電極
５１  識別回路（電圧印加手段を含む）
【図１】
2005246664.tif 000003
【図２】
2005246664.tif 000004
【図３】
2005246664.tif 000005
【図４】
2005246664.tif 000006
【図５】
2005246664.tif 000007
【図６】
2005246664.tif 000008
【図７】
2005246664.tif 000009
【図８】
2005246664.tif 000010
【図９】
2005246664.tif 000011
【図１０】
2005246664.tif 000012
【図１１】
2005246664.tif 000013